(57)【特許請求の範囲】
【請求項１】
公衆ＡＴＭ網に接続されたＡＴＭ（非同期転送モード）アクセスノードが端末からのデータを送信するＡＴＭ通信システムにおいて、
上記ＡＴＭアクセスノードが、上記端末のレイヤ３アドレスと上記端末が接続している上記ＡＴＭアクセスノードとの対応表を備え、上記端末からのデータをＡＡＬ（ＡＴＭ  Ａｄａｐｔａｔｉｏｎ  Ｌａｙｅｒ  Ｔｙｐｅ）５のレイヤでカプセル化する際に、上記ＡＡＬ５のＣＰＣＳ−ＰＤＵ（Ｃｏｍｍｏｎ  Ｐａｒｔ  Ｃｏｎｖｅｒｇｅｎｃｅ  Ｓｕｂｌａｙｅｒ−Ｐｒｏｔｏｃｏｌ  ＤａｔａＵｎｉｔ）のデータフォーマットに上記レイヤ３アドレスを書き込み、上記データを上記公衆ＡＴＭ網のＶＣ（仮想チャネル）に多重して送信することを特徴とするチャネル内多重交換方式。
【請求項２】
公衆ＡＴＭ網に接続されたＡＴＭアクセスノードが端末からのデータを送信するＡＴＭ通信システムにおいて、
上記ＡＴＭアクセスノードが、上記端末のレイヤ３アドレスと上記端末が接続している上記ＡＴＭアクセスノードとの対応表を備え、上記端末からのデータをＡＴＭセル化する際に、上記ＡＴＭセルのデータフォーマットに上記レイヤ３アドレスを書き込み、上記データを上記公衆ＡＴＭ網のＶＣに多重して送信することを特徴とするチャネル内多重交換方式。
【請求項３】
ＡＴＭセルのデータフォーマットにおけるＡＴＭセル情報フィールドに、レイヤ３アドレスを書き込むことを特徴とする請求項２記載のチャネル内多重交換方式。
【請求項４】
公衆ＡＴＭ網に接続されたＡＴＭアクセスノードが端末からのデータを送信するＡＴＭ通信システムにおいて、
上記ＡＴＭアクセスノードが、上記端末のレイヤ３アドレスと上記端末が接続している上記ＡＴＭアクセスノードとの対応表を備え、上記端末からのデータをＡＡＬ２のレイヤでショートセル化する際に、上記ＡＡＬ２のデータフォーマットに上記レイヤ３アドレスを書き込み、上記データを上記公衆ＡＴＭ網のＶＣに多重して送信することを特徴とするチャネル内多重交換方式。
【請求項５】
ＡＡＬ２のデータフォーマットにおけるデータ部に、レイヤ３アドレスを書き込むことを特徴とする請求項４記載のチャネル内多重交換方式。
【請求項６】
公衆ＡＴＭ網に接続されたＡＴＭアクセスノードが端末からのデータを送信するＡＴＭ通信システムにおいて、
上記ＡＴＭアクセスノードが、データの送付先の端末を指定するレイヤ１サブチャネルのＳＣＣＩ（ショートセルチャネル識別子）を保有し、上記端末からのデータをＡＡＬ５のレイヤでカプセル化する際に、上記ＡＡＬ５のＣＰＣＳ−ＰＤＵのデータフォーマットに上記ＳＣＣＩを書き込み、上記データを上記公衆ＡＴＭ網のＶＣに多重して送信することを特徴とするチャネル内多重交換方式。
【請求項７】
公衆ＡＴＭ網に接続されたＡＴＭアクセスノードが端末からのデータを送信するＡＴＭ通信システムにおいて、
上記ＡＴＭアクセスノードが、データの送付先の端末を指定するレイヤ１サブチャネルのＳＣＣＩをシグナリングにより決定し、上記端末からのデータをＡＡＬ５のレイヤでカプセル化する際に、上記ＡＡＬ５のＣＰＣＳ−ＰＤＵのフォーマットに上記ＳＣＣＩを書き込み、上記データを上記公衆ＡＴＭ網のＶＣに多重して送信することを特徴とするチャネル内多重交換方式。
【請求項８】
公衆ＡＴＭ網に接続されたＡＴＭアクセスノードが端末からのデータを送信するＡＴＭ通信システムにおいて、
上記ＡＴＭアクセスノードが、データの送付先の端末を指定するレイヤ１サブチャネルのＳＣＣＩをシグナリングにより決定し、上記端末からのデータをＡＴＭセル化する際に、上記ＡＴＭセルのデータフォーマットに上記ＳＣＣＩを書き込み、上記データを上記公衆ＡＴＭ網のＶＣに多重して送信することを特徴とするチャネル内多重交換方式。
【請求項９】
ＡＴＭセルのデータフォーマットにおけるＡＴＭセル情報フィールドに、ＳＣＣＩを書き込むことを特徴とする請求項８記載のチャネル内多重交換方式。
【請求項１０】
シグナリング用のＶＣとユーザデータ用のＶＣを使用した公衆ＡＴＭ網に接続されたＡＴＭアクセスノードが端末からのデータを送信するＡＴＭ通信システムにおいて、
上記ＡＴＭアクセスノードが、データの送付先の端末を指定するレイヤ１サブチャネルのＳＣＣＩをシグナリングにより決定し、上記端末からのデータをＡＡＬ２のレイヤでショートセル化する際に、上記ＡＡＬ２のデータフォーマットに上記ＳＣＣＩを書き込み、上記データを上記公衆ＡＴＭ網のユーザデータ用のＶＣに多重して送信することを特徴とするチャネル内多重交換方式。
【請求項１１】
ＡＡＬ２のデータフォーマットにおけるデータ部に、ＳＣＣＩを書き込むことを特徴とする請求項１０記載のチャネル内多重交換方式。
【請求項１２】
シグナリング用のＶＣとユーザデータ用のＶＣを使用した公衆ＡＴＭ網に接続されたＡＴＭアクセスノードが端末からのデータを送信するＡＴＭ通信システムにおいて、
上記ＡＴＭアクセスノードが、シグナリングデータをＡＡＬ５のレイヤでカプセル化する際に、上記ＡＡＬ５のデータフォーマットに、データの送付先の端末を指定するレイヤ１サブチャネルのＳＣＣＩを書き込み、上記シグナリングデータを上記公衆ＡＴＭ網のシグナリング用のＶＣに多重して送信することにより、データ用のコネクションを設定することを特徴とするチャネル内多重交換方式。
【請求項１３】
ＡＡＬ５のＣＰＣＳ−ＰＤＵのデータフォーマットにおけるユーザデータ部に、ＳＣＣＩを書き込むことを特徴とする請求項６，７，１２いずれか記載のチャネル内多重交換方式。
【請求項１４】
サービスクラスに対応した複数のＶＣを備える公衆ＡＴＭ網に接続されたＡＴＭアクセスノードが端末からのデータを送信するＡＴＭ通信システムにおいて、
上記ＡＴＭアクセスノードが、上記端末のレイヤ３アドレスと上記端末が接続している上記ＡＴＭアクセスノードとの対応表を備え、上記端末からのデータをＡＡＬ５のレイヤでカプセル化する際に、上記ＡＡＬ５のＣＰＣＳ−ＰＤＵのデータフォーマットに上記レイヤ３アドレスを書き込み、上記各端末に割り当てられたサービスクラスに対応して、上記データを上記公衆ＡＴＭ網のＶＣに多重して送信することを特徴とするチャネル内多重交換方式。
【請求項１５】
サービスクラスに対応した複数のＶＣを備える公衆ＡＴＭ網に接続されたＡＴＭアクセスノードが端末からのデータを送信するＡＴＭ通信システムにおいて、
上記ＡＴＭアクセスノードが、上記端末のレイヤ３アドレスと上記端末が接続している上記ＡＴＭアクセスノードとの対応表を備え、上記端末からのデータをＡＡＬ５のレイヤでカプセル化する際に、上記ＡＡＬ５のＣＰＣＳ−ＰＤＵのデータフォーマットに上記レイヤ３アドレスを書き込み、上記データのＴＯＳ（Ｔｙｐｅ  Ｏｆ  Ｓｅｒｖｉｃｅ）に割り当てられたサービスクラスに対応して、上記データを上記公衆ＡＴＭ網のＶＣに多重して送信することを特徴とするチャネル内多重交換方式。
【請求項１６】
ＡＡＬ５のレイヤのＣＰＣＳ−ＰＤＵのデータフォーマットにおけるユーザデータ部に、レイヤ３アドレスを書き込むことを特徴とする請求項１，１４，１５いずれか記載のチャネル内多重交換方式。
【請求項１７】
レイヤ３アドレスが、各ＡＴＭアクセスノードを指定するノードＩＤと、各端末を指定する端末ＩＤにより構成されることを特徴とする請求項１，２，４，１４，１５いずれか記載のチャネル内多重交換方式。
【請求項１８】
公衆ＡＴＭ網に接続されたＡＴＭアクセスノードが端末からのデータを送信するＡＴＭ通信システムにおいて、
上記ＡＴＭアクセスノードが、
上記データのセルの組立／分解を行うＣＬＡＤ（Ｃｅｌｌ  Ａｓｓｅｍｂｌｙａｎｄ  Ｄｉｓａｓｓｅｍｂｌｙ）と、
ＡＴＭセルヘッダ変換機能やトラヒック制御機能を有するＡＴＭスイッチと、
上記端末のレイヤ３アドレス、又はデータの送付先の端末を指定するレイヤ１サブチャネルのＳＣＣＩを付加してＶＣ多重を行うＶＣ多重分離部と
を備えたことを特徴とするチャネル内多重交換方式。
【請求項１９】
公衆ＦＲ（Ｆｌａｍｅ  Ｒｅｌａｙ）網に接続されたＡＴＭアクセスノードが、端末からのデータを上記公衆ＦＲ網のＤＬＣ（Ｄａｔａ  Ｌｉｎｋ  Ｃｈａｎｎｅｌ）を使用して送信するＡＴＭ通信システムにおいて、
上記ＡＴＭアクセスノードが、
上記データのセルの組立／分解を行うＣＬＡＤと、
ＡＴＭセルヘッダ変換機能やトラヒック制御機能を有するＡＴＭスイッチと、
上記ＡＴＭのＶＰ（仮想パス）から上記ＦＲのＤＬＣＩ（Ｄａｔａ  ＬｉｎｋＣｈａｎｎｅｌ  Ｉｄｅｔｉｆｉｅｒ）を決定し、上記ＡＴＭのＶＣから上記ＦＲのＳＣＣＩを決定することにより、上記ＡＴＭと上記ＦＲのアドレス変換を行うＡＴＭ−ＦＲアドレス変換部と、
上記ＦＲのデータフォーマットに、上記ＡＴＭ−ＦＲアドレス変換部が決定した上記ＤＬＣＩと上記ＳＣＣＩを書き込み、上記データを上記公衆ＦＲのＤＬＣに多重して送信するＤＬＣ多重／分離部と
を備えたことを特徴とするチャネル内多重交換方式。
【請求項２０】
ＦＲのデータフォーマットにおけるアドレスフィールドにＤＬＣＩを書き込み、情報フィールドにＳＣＣＩを書き込むことを特徴とする請求項１９記載のチャネル内多重交換方式。
【発明の詳細な説明】
【０００１】
【発明の属する技術分野】
この発明は、ＡＴＭ（Ａｓｙｎｃｈｒｏｎｏｕｓ  Ｔｒａｎｓｆｅｒ  Ｍｏｄｅ；非同期転送モード）通信システムにおいて、複数の端末からのデータをＶＣ（Ｖｉｒｔｕａｌ  Ｃｈａｎｎｅｌ；仮想チャネル）に多重して送信するチャネル内多重交換方式に関するものである。
【０００２】
【従来の技術】
図１７は、「日経コミュニケーション」（日経ＢＰ社  １９９９．２．１発行第２８７号）１０４ページの図３−３に示されている、従来のＡＴＭ通信システムにおけるネットワーク構成を示す図であり、図において、１０ａ〜１０ｈは端末、１１ａ〜１１ｈは各端末１０ａ〜１０ｈの回線、１２ａ〜１２ｄは各回線１１ａ〜１１ｈを介して各端末１０ａ〜１０ｈと接続しているＡＴＭアクセスノードである。
【０００３】
また、図１７において、１３は公衆ＡＴＭ網であり、１７４ａ〜１７４ｄは、公衆ＡＴＭ網１３におけるＡＴＭアクセスノード１２ａ〜１２ｄを接続するＶＰ（Ｖｉｒｔｕａｌ  Ｐａｔｈ；仮想パス）である。１７４ａはＡＴＭアクセスノード１２ａと１２ｂを接続し、１７４ｂはＡＴＭアクセスノード１２ｂと１２ｃを、１７４ｃはＡＴＭアクセスノード１２ｃと１２ｄを、１７４ｄはＡＴＭアクセスノード１２ｄと１２ａをそれぞれ接続している。このように、複数のＡＴＭアクセスノード１２ａ〜１２ｄが存在する場合、各ＡＴＭアクセスノード１２ａ〜１２ｄ間をＶＰで接続しネットワークを構築している。
【０００４】
次に動作について説明する。
端末１０ａが端末１０ｃにデータ送信する場合に、端末１０ａは回線１１ａを用いてＡＴＭアクセスノード１２ａにデータを送信する。ＡＴＭアクセスノード１２ａは、ＶＰ１７４ａ中の端末１０ａと端末１０ｃ間に設定されたＶＣを用いて、受信したデータをＡＴＭアクセスノード１２ｂに送信する。ＡＴＭアクセスノード１２ｂは、回線１１ｃを用いて端末１０ｃに受信したデータを送信する。
【０００５】
また、端末１０ａが端末１０ｄにデータ送信する場合に、端末１０ａは回線１１ａを用いて、ＡＴＭアクセスノード１２ａにデータを送信する。ＡＴＭアクセスノード１２ａは、ＶＰ１７４ａ中の端末１０ａと端末１０ｄ間に設定された別のＶＣを用いて、受信したデータをＡＴＭアクセスノード１２ｂに送信する。ＡＴＭアクセスノード１２ｂは、回線１１ｃを用いて端末１０ｄに受信したデータを送信する。
【０００６】
【発明が解決しようとする課題】
従来のＡＴＭ通信システムにおけるネットワーク構成は以上のように構成されているので、ＡＴＭアクセスノード１２ａ〜１２ｄ間にＶＰ１７４ａ〜１７４ｄを設定すれば通信は実現できるが、ＶＰ１７４ａ〜１７４ｄでの接続コストは、ＶＣに比べてはるかに高く、コストパフォーマンスが極めて低いという課題があった。
【０００７】
この発明は上記のような課題を解決するためになされたもので、ＡＴＭ通信システムにおけるネットワーク構成において、コストパフォーマンスの高いチャネル内多重交換方式を得ることを目的とする。
【０００８】
【課題を解決するための手段】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、上記端末のレイヤ３アドレスと上記端末が接続している上記ＡＴＭアクセスノードとの対応表を備え、上記端末からのデータをＡＡＬ５のレイヤでカプセル化する際に、上記ＡＡＬ５のＣＰＣＳ−ＰＤＵのデータフォーマットに上記レイヤ３アドレスを書き込み、上記データを上記公衆ＡＴＭ網のＶＣに多重して送信するものである。
【０００９】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、上記端末のレイヤ３アドレスと上記端末が接続している上記ＡＴＭアクセスノードとの対応表を備え、上記端末からのデータをＡＴＭセル化する際に、上記ＡＴＭセルのデータフォーマットに上記レイヤ３アドレスを書き込み、上記データを上記公衆ＡＴＭ網のＶＣに多重して送信するものである。
【００１０】
この発明に係るチャネル内多重交換方式は、ＡＴＭセルのデータフォーマットにおけるＡＴＭセル情報フィールドにレイヤ３アドレスを書き込むものである。
【００１１】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、上記端末のレイヤ３アドレスと上記端末が接続している上記ＡＴＭアクセスノードとの対応表を備え、上記端末からのデータをＡＡＬ２のレイヤでショートセル化する際に、上記ＡＡＬ２のデータフォーマットに上記レイヤ３アドレスを書き込み、上記データを上記公衆ＡＴＭ網のＶＣに多重して送信するものである。
【００１２】
この発明に係るチャネル内多重交換方式は、ＡＡＬ２のデータフォーマットにおけるデータ部に、レイヤ３アドレスを書き込むものである。
【００１３】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、データの送付先の端末を指定するレイヤ１サブチャネルのＳＣＣＩを保有し、上記端末からのデータをＡＡＬ５のレイヤでカプセル化する際に、上記ＡＡＬ５のＣＰＣＳ−ＰＤＵのデータフォーマットに上記ＳＣＣＩを書き込み、上記データを上記公衆ＡＴＭ網のＶＣに多重して送信するものである。
【００１４】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、データの送付先の端末を指定するレイヤ１サブチャネルのＳＣＣＩをシグナリングにより決定し、上記端末からのデータをＡＡＬ５のレイヤでカプセル化する際に、上記ＡＡＬ５のＣＰＣＳ−ＰＤＵのフォーマットに上記ＳＣＣＩを書き込み、上記データを上記公衆ＡＴＭ網のＶＣに多重して送信するものである。
【００１５】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、データの送付先の端末を指定するレイヤ１サブチャネルのＳＣＣＩをシグナリングにより決定し、上記端末からのデータをＡＴＭセル化する際に、上記ＡＴＭセルのデータフォーマットに上記ＳＣＣＩを書き込み、上記データを上記公衆ＡＴＭ網のＶＣに多重して送信するものである。
【００１６】
この発明に係るチャネル内多重交換方式は、ＡＴＭセルのデータフォーマットにおけるＡＴＭセル情報フィールドに、ＳＣＣＩを書き込むものである。
【００１７】
この発明に係るチャネル内多重交換方式は、シグナリング用のＶＣとユーザデータ用のＶＣを使用した公衆ＡＴＭ網に接続されたＡＴＭアクセスノードが端末からのデータを送信するＡＴＭ通信システムにおいて、上記ＡＴＭアクセスノードが、データの送付先の端末を指定するレイヤ１サブチャネルのＳＣＣＩをシグナリングにより決定し、上記端末からのデータをＡＡＬ２のレイヤでショートセル化する際に、上記ＡＡＬ２のデータフォーマットに上記ＳＣＣＩを書き込み、上記データを上記公衆ＡＴＭ網のユーザデータ用のＶＣに多重して送信するものである。
【００１８】
この発明に係るチャネル内多重交換方式は、ＡＡＬ２のデータフォーマットにおけるデータ部に、ＳＣＣＩを書き込むものである。
【００１９】
この発明に係るチャネル内多重交換方式は、シグナリング用のＶＣとユーザデータ用のＶＣを使用した公衆ＡＴＭ網に接続されたＡＴＭアクセスノードが端末からのデータを送信するＡＴＭ通信システムにおいて、上記ＡＴＭアクセスノードが、シグナリングデータをＡＡＬ５のレイヤでカプセル化する際に、上記ＡＡＬ５のデータフォーマットに、データの送付先の端末を指定するレイヤ１サブチャネルのＳＣＣＩを書き込み、上記シグナリングデータを上記公衆ＡＴＭ網のシグナリング用のＶＣに多重して送信することにより、データ用のコネクションを設定するものである。
【００２０】
この発明に係るチャネル内多重交換方式は、ＡＡＬ５のＣＰＣＳ−ＰＤＵのデータフォーマットにおけるユーザデータ部に、ＳＣＣＩを書き込むものである。
【００２１】
この発明に係るチャネル内多重交換方式は、サービスクラスに対応した複数のＶＣを備える公衆ＡＴＭ網に接続されたＡＴＭアクセスノードが端末からのデータを送信するＡＴＭ通信システムにおいて、上記ＡＴＭアクセスノードが、上記端末のレイヤ３アドレスと上記端末が接続している上記ＡＴＭアクセスノードとの対応表を備え、上記端末からのデータをＡＡＬ５のレイヤでカプセル化する際に、上記ＡＡＬ５のＣＰＣＳ−ＰＤＵのデータフォーマットに上記レイヤ３アドレスを書き込み、上記各端末に割り当てられたサービスクラスに対応して、上記データを上記公衆ＡＴＭ網のＶＣに多重して送信するものである。
【００２２】
この発明に係るチャネル内多重交換方式は、サービスクラスに対応した複数のＶＣを備える公衆ＡＴＭ網に接続されたＡＴＭアクセスノードが端末からのデータを送信するＡＴＭ通信システムにおいて、上記ＡＴＭアクセスノードが、上記端末のレイヤ３アドレスと上記端末が接続している上記ＡＴＭアクセスノードとの対応表を備え、上記端末からのデータをＡＡＬ５のレイヤでカプセル化する際に、上記ＡＡＬ５のＣＰＣＳ−ＰＤＵのデータフォーマットに上記レイヤ３アドレスを書き込み、上記データのＴＯＳに割り当てられたサービスクラスに対応して、上記データを上記公衆ＡＴＭ網のＶＣに多重して送信するものである。
【００２３】
この発明に係るチャネル内多重交換方式は、ＡＡＬ５のレイヤのＣＰＣＳ−ＰＤＵのデータフォーマットにおけるユーザデータ部に、レイヤ３アドレスを書き込むものである。
【００２４】
この発明に係るチャネル内多重交換方式は、レイヤ３アドレスが、各ＡＴＭアクセスノードを指定するノードＩＤと、各端末を指定する端末ＩＤにより構成されるものである。
【００２５】
この発明に係るチャネル内多重交換方式は、公衆ＡＴＭ網に接続されたＡＴＭアクセスノードが端末からのデータを送信するＡＴＭ通信システムにおいて、上記ＡＴＭアクセスノードが、上記データのセルの組立／分解を行うＣＬＡＤと、ＡＴＭセルヘッダ変換機能やトラヒック制御機能を有するＡＴＭスイッチと、上記端末のレイヤ３アドレス、又はデータの送付先の端末を指定するレイヤ１サブチャネルのＳＣＣＩを付加してＶＣ多重を行うＶＣ多重分離部とを備えたものである。
【００２６】
この発明に係るチャネル内多重交換方式は、公衆ＦＲ網に接続されたＡＴＭアクセスノードが、端末からのデータを上記公衆ＦＲ網のＤＬＣを使用して送信するＡＴＭ通信システムにおいて、上記ＡＴＭアクセスノードが、上記データのセルの組立／分解を行うＣＬＡＤと、ＡＴＭセルヘッダ変換機能やトラヒック制御機能を有するＡＴＭスイッチと、上記ＡＴＭのＶＰから上記ＦＲのＤＬＣＩを決定し、上記ＡＴＭのＶＣから上記ＦＲのＳＣＣＩを決定することにより、上記ＡＴＭと上記ＦＲのアドレス変換を行うＡＴＭ−ＦＲアドレス変換部と、上記ＦＲのデータフォーマットに、上記ＡＴＭ−ＦＲアドレス変換部が決定した上記ＤＬＣＩと上記ＳＣＣＩを書き込み、上記データを上記公衆ＦＲのＤＬＣに多重して送信するＤＬＣ多重／分離部とを備えたものである。
【００２７】
この発明に係るチャネル内多重交換方式は、ＦＲのデータフォーマットにおけるアドレスフィールドにＤＬＣＩを書き込み、情報フィールドにＳＣＣＩを書き込むものである。
【００２８】
【発明の実施の形態】
以下、この発明の実施の一形態を説明する。
実施の形態１．
図１はこの発明の実施の形態１によるＡＴＭ通信システムにおけるネットワーク構成を示す図であり、図において、１０ａ〜１０ｆは端末、１１ａ〜１１ｆは各端末１０ａ〜１０ｆの回線、１２ａ〜１２ｃは各回線１１ａ〜１１ｆを介して各端末１０ａ〜１０ｆと接続しているＡＴＭアクセスノードである。
【００２９】
また、図１において、１３は公衆ＡＴＭ網であり、１４ａは、公衆ＡＴＭ網１３におけるＡＴＭアクセスノード１２ａと１２ｂを、例えばＰＶＣ（Ｐｅｒｍａｎｅｎｔ  Ｖｉｒｔｕａｌ  Ｃｏｎｎｅｃｔｉｏｎ）方式にて接続するＶＣであり、１４ｂは、公衆ＡＴＭ網１３におけるＡＴＭアクセスノード１２ｂと１２ｃを、例えばＰＶＣ方式にて接続するＶＣである。このＰＶＣ方式により、各ＡＴＭアクセスノード１２ａ〜１２ｃ間は、データ送信の有無にかかわらず、定常的にコネクションが設定されている。
【００３０】
図２は、実施の形態１による、端末１０ａ〜１０ｆのレイヤ３アドレスである「ノードＩＤ＋端末ＩＤ」と、各端末１０ａ〜１０ｆと接続しているＡＴＭアクセスノード１２ａ〜１２ｃとの対応表を示す図である。例えば、端末１０ａはノードＩＤとして「１」、端末ＩＤとして「１」であるレイヤ３アドレスを持ち、ＡＴＭアクセスノード１２ａに接続していることを示している。
【００３１】
図３は実施の形態１によるＡＡＬ５（ＡＴＭ  Ａｄａｐｔａｔｉｏｎ  Ｌａｙｅｒ  Ｔｙｐｅ  ５）のレイヤのＣＰＣＳ−ＰＤＵ（Ｃｏｍｍｏｎ  Ｐａｒｔ  Ｃｏｎｖｅｒｇｅｎｃｅ  Ｓｕｂｌａｙｅｒ−Ｐｒｏｔｏｃｏｌ  Ｄａｔａ  Ｕｎｉｔ）のデータフォーマットと新たに定義するレイヤ３アドレスフィールドを示す図である。図において、３０はユーザデータが格納されるユーザデータ部、３１は最大４７バイトの可変長のＰＡＤ（Ｐａｄｄｉｎｇ）フィールド、３２は１バイトのＵＵ（Ｕｓｅｒ  ｔｏ  Ｕｓｅｒ）フィールドで、ＡＡＬ５のＣＰＣＳユーザ間で透過的に伝送される。
【００３２】
また、図３において、３３は１バイトのＣＰＩ（Ｃｏｍｍｏｎ  Ｐａｒｔ  Ｉｎｄｉｃａｔｏｒ）フィールド、３４はユーザデータ長を示す長さ（Ｌｅｎｇｔｈ）フィールド、３５は４バイトのＣＲＣ−３２フィールドであり、ＣＰＣＳ−ＰＤＵの中身全体に対して算出されたＣＲＣ（Ｃｙｃｌｉｃ  Ｒｅｄｕｎｄａｎｃｙ  Ｃｈｅｃｋ）の値が入っている。３６はユーザデータ部３０の先頭４バイトを使用した新たに定義するレイヤ３アドレスフィールドである。
【００３３】
次に動作について説明する。
図１において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、送信端末のスロット位置から相手ノードＩＤと相手端末ＩＤを判断し、図２に示す対応表より、送信先端末がＡＴＭアクセスノード１２ｃに接続している端末１０ｅであることを知る。
【００３４】
そして、ＡＴＭアクセスノード１２ａは、端末１０ａからのデータをＡＡＬ−５のレイヤでカプセル化する際に、図３のレイヤ３アドレスフィールド３６に、端末１０ｅの「ノードＩＤ＋端末ＩＤ」を書き込み、データをＶＣ１４ａに多重してＡＴＭアクセスノード１２ｂに送信する。
【００３５】
ＡＴＭアクセスノード１２ｂでは、受信したＣＰＣＳ−ＰＤＵのレイヤ３アドレスフィールド３６を読み込み、図２に示す対応表から、送信先端末がＡＴＭアクセスノード１２ｃに接続している端末１０ｅであることを判断する。そして、ＡＴＭアクセスノード１２ｂは、データをＶＣ１４ｂに多重してＡＴＭアクセスノード１２ｃに送信する。
【００３６】
ＡＴＭアクセスノード１２ｃでは、受信したＣＰＣＳ−ＰＤＵのレイヤ３アドレスフィールド３６を読み込み、送信先端末がＡＴＭアクセスノード１２ｃに接続されている端末１０ｅであることを判断し、回線１１ｅを用いて端末１０ｅにデータを送信する。
【００３７】
同様に、図１の端末１０ｂが端末１０ｃにデータを送信する場合に、端末１０ｂは回線１１ｂを用いてＡＴＭアクセスノード１２ａにデータを送信する。データを受信したＡＴＭアクセスノード１２ａは、送信端末のスロット位置から端末１０ｃの「ノードＩＤ＋端末ＩＤ」を判断し、図２に示す対応表より、送信先端末がＡＴＭアクセスノード１２ｂに接続している端末１０ｃであることを知る。
【００３８】
そして、ＡＴＭアクセスノード１２ａは、端末１０ｂからのデータをＡＡＬ−５のレイヤでカプセル化する際に、図３のレイヤ３アドレスフィールド３６に端末１０ｃの「ノードＩＤ＋端末ＩＤ」を書き込み、データをＶＣ１４ａに多重してＡＴＭアクセスノード１２ｂに送信する。
【００３９】
ＡＴＭアクセスノード１２ｂでは、受信したＣＰＣＳ−ＰＤＵのレイヤ３アドレスフィールド３６を読み込み、送信先端末がＡＴＭアクセスノード１２ｂに接続されている端末１０ｃであることを判断し、回線１１ｃを用いて端末１０ｃにデータを送信する。以上の処理により、１つのＶＣの中に複数端末からのデータを多重しチャネル内多重交換を行う。このように、この実施の形態は、レイヤ３アドレスにてデータの送信先を識別する、つまりそれ以下のレイヤでは、コネクションを意識しないでデータを送信するコネクションレスサービスを実現するものである。
【００４０】
以上のように、この実施の形態１によれば、送信先のレイヤ３アドレスをＡＡＬ５のレイヤのＣＰＣＳ−ＰＤＵ毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにより接続してネットワークを構築することにより、ＡＴＭアクセスノード１２ａ〜１２ｃ間をＶＰにて接続した場合と比較して、ネットワークコストを大幅に削減することができるという効果が得られる。
【００４１】
実施の形態２．
この実施の形態２によるＡＴＭ通信システムにおけるネットワーク構成は、実施の形態１の図１に示すものと同一である。図４は実施の形態２によるＡＴＭセルのデータフォーマットと新たに定義するレイヤ３アドレスフィールドを示す図である。図において、４０は５バイトのＡＴＭセルヘッダであり、ＶＰＩ（Ｖｉｒｔｕａｌ  Ｐａｔｈ  Ｉｄｅｎｔｉｆｉｅｒ），ＶＣＩ（Ｖｉｒｔｕａｌ  Ｃｈａｎｎｅｌ  Ｉｄｅｎｔｉｆｉｅｒ）フィールド等を含んでいる。４１は４８バイトのＡＴＭセル情報フィールドであり、ユーザデータが格納される。４２はＡＴＭセル情報フィールド４１の先頭４バイトを使用したレイヤ３アドレスフィールドである。
【００４２】
次に動作について説明する。
図１において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、送信端末のスロット位置から相手ノードＩＤと相手端末ＩＤを判断し、図２に示す対応表より、送信先端末がＡＴＭアクセスノード１２ｃに接続している端末１０ｅであることを知る。
【００４３】
そして、ＡＴＭアクセスノード１２ａは、端末１０ａからのデータをＡＴＭセル化する際に、図４のレイヤ３アドレスフィールド４２に、端末１０ｅの「ノードＩＤ＋端末ＩＤ」を書き込み、データをＶＣ１４ａに多重してＡＴＭアクセスノード１２ｂに送信する。
【００４４】
ＡＴＭアクセスノード１２ｂでは、受信したセルのレイヤ３アドレスフィールド４２を読み込み、図２に示す対応表から、送信先端末がＡＴＭアクセスノード１２ｃに接続している端末１０ｅであることを判断する。そして、ＡＴＭアクセスノード１２ｂは、データをＶＣ１４ｂに多重してＡＴＭアクセスノード１２ｃに送信する。
【００４５】
ＡＴＭアクセスノード１２ｃでは、受信したセルのレイヤ３アドレスフィールド４２を読み込み、送信先端末がＡＴＭアクセスノード１２ｃに接続されている端末１０ｅであることを判断し、回線１１ｅを用いて端末１０ｅにデータを送信する。
【００４６】
同様に、図１の端末１０ｂが端末１０ｃにデータを送信する場合についても、同じＶＣ１４ａに多重してデータが送信される。以上の処理により、１つのＶＣの中に複数端末からのデータを多重しチャネル内多重交換を行う。このように、この実施の形態は、レイヤ３アドレスにてデータの送信先を識別する、つまりそれ以下のレイヤでは、コネクションを意識しないでデータを送信するコネクションレスサービスを実現するものである。
【００４７】
以上のように、この実施の形態２によれば、送信先のレイヤ３アドレスをＡＴＭセル毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００４８】
実施の形態３．
この実施の形態３によるＡＴＭ通信システムにおけるネットワーク構成は、実施の形態１の図１に示すものと同一である。図５は実施の形態３によるＡＡＬ２のデータフォーマットと新たに定義するレイヤ３アドレスフィールドを示す図である。図において、４０は実施の形態２の図４に示したものと同じ５バイトのＡＴＭセルヘッダであり、ＶＰＩ，ＶＣＩフィールド等を含んでいる。
【００４９】
また、図５において、５１は１バイトのＳＴＦ（Ｓｔａｒｔ  Ｆｉｅｌｄ）であり、ＯＳＦ（Ｏｆｆｓｅｔ  Ｆｉｅｌｄ）等を含んでいる。５２はショートセルを示し、３バイトのＣＰＳ（Ｃｏｍｍｏｎ  Ｐａｒｔ  Ｓｕｂｌａｙｅｒ）パケットヘッダ５３と、データ部５４から構成される。また、５５はデータ部５４の先頭４バイトを使用したレイヤ３アドレスフィールドである。
【００５０】
次に動作について説明する。
図１において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、送信端末のスロット位置から相手ノードＩＤと相手ＩＤを判断し、図２に示す対応表より、送信先端末がＡＴＭアクセスノード１２ｃに接続している端末１０ｅであることを知る。
【００５１】
そして、ＡＴＭアクセスノード１２ａは、端末１０ａからのデータをＡＡＬ−２のレイヤでショートセル化を行う際に、図５のレイヤ３アドレスフィールド５５に端末１０ｅの「ノードＩＤ＋端末ＩＤ」を書き込み、データをＶＣ１４ａに多重してＡＴＭアクセスノード１２ｂに送信する。
【００５２】
ＡＴＭアクセスノード１２ｂでは、受信したショートセルのレイヤ３アドレスフィールド５５を読み込み、図２に示す対応表から、送信先端末がＡＴＭアクセスノード１２ｃに接続している端末１０ｅであることを判断する。そして、ＡＴＭアクセスノード１２ｂは、データをＶＣ１４ｂに多重してＡＴＭアクセスノード１２ｃに送信する。
【００５３】
ＡＴＭアクセスノード１２ｃでは、受信したショートセルのレイヤ３アドレスフィールド５５を読み込み、送信先端末がＡＴＭアクセスノード１２ｃに接続されている端末１０ｅであることを判断し、回線１１ｅを用いて端末１０ｅにデータを送信する。
【００５４】
同様に、図１の端末１０ｂが端末１０ｃにデータを送信する場合についても、同じＶＣ１４ａに多重してデータが送信される。以上の処理により、１つのＶＣの中に複数端末からのデータを多重しチャネル内多重交換を行う。このように、この実施の形態は、レイヤ３アドレスにてデータの送信先を識別する、つまりそれ以下のレイヤでは、コネクションを意識しないでデータを送信するコネクションレスサービスを実現するものである。
【００５５】
以上のように、この実施の形態３によれば、送信先のレイヤ３アドレスをＡＡＬ２のショートセル毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００５６】
実施の形態４．
この実施の形態４によるＡＴＭ通信システムにおけるネットワーク構成は、実施の形態１の図１に示すものと同一である。図６は実施の形態４によるＡＡＬ５のＣＰＣＳ−ＰＤＵのデータフォーマットと新たに定義するレイヤ１サブチャネルフィールドを示す図である。図において、６６はユーザデータ部３０の先頭４バイトを使用したレイヤ１サブチャネルフィールドである。その他は、実施の形態１の図３に示すものと同一である。
【００５７】
次に動作について説明する。
図１において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、ＡＡＬ５でカプセル化する際に、図６のレイヤ１サブチャネルフィールド６６に、データの送付先の端末を指定する、送信先のレイヤ１サブチャネルであるＳＣＣＩ（Ｓｈｏｒｔ  Ｃｅｌｌ  Ｃｈａｎｎｅｌ  Ｉｄｅｎｔｉｆｉｅｒ；ショートセルチャネル識別子）を書き込み、データをＶＣ１４ａに多重してＡＴＭアクセスノード１２ｂに送信する。ここで、ＡＴＭアクセスノード１２ａは、ＳＣＣＩを保有しているものとする。
【００５８】
ＡＴＭアクセスノード１２ｂは、受信時のＶＰＩ及びＶＣＩのみならず、受信したＣＰＣＳ−ＰＤＵのレイヤ１サブチャネルフィールド６６のＳＣＣＩを読み込み、データをＶＣ１４ｂに多重してＡＴＭアクセスノード１２ｃに送信する。
【００５９】
ＡＴＭアクセスノード１２ｃでは、受信時のＶＰＩ及びＶＣＩのみならず、受信したＣＰＣＳ−ＰＤＵのレイヤ１サブチャネルフィールド６６のＳＣＣＩを読み込み、回線１１ｅを用いて端末１０ｅにデータを送信する。
【００６０】
同様に、図１の端末１０ｂが端末１０ｃにデータを送信する場合についても、同じＶＣ１４ａに多重してデータが送信される。以上の処理により、１つのＶＣの中に複数端末からのデータを多重しチャネル内多重交換を行う。このように、この実施の形態は、レイヤ１サブチャネルであるＳＣＣＩにてデータの送信先を識別する、つまりレイヤ１のコネクションを意識してデータを送信するコネクションオリエンテッドサービスを実現するものである。
【００６１】
以上のように、この実施の形態４によれば、送信先のレイヤ１サブチャネルであるＳＣＣＩを、ＣＰＣＳ−ＰＤＵ毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００６２】
実施の形態５．
この実施の形態５によるＡＴＭ通信システムにおけるネットワーク構成は、実施の形態１の図１に示すものと同一である。この実施の形態は、送信先とのコネクションを設定するためのシグナリングを行って、コネクションが設定された後に、実施の形態４の図６に示すＡＡＬ５のＣＰＣＳ−ＰＤＵのデータフォーマットを使用してデータを送信するものである。
【００６３】
次に動作について説明する。
図１において、端末１０ａが端末１０ｅにデータを送信する場合に、ＡＴＭアクセスノード１２ａは、シグナリングを用い、ＶＣ１４ａを介してＡＴＭアクセスノード１２ｂ、及びＶＣ１４ｂを介してＡＴＭアクセスノード１２ｃまで、ＶＣ１４ａ，１４ｂ内にサブコネクションを設定し、データ転送時のＳＣＣＩ（ショートセルチャネル識別子）を決定する。
【００６４】
そして、端末１０ａは回線１１ａを用いてＡＴＭアクセスノード１２ａにデータを送信し、データを受信したＡＴＭアクセスノード１２ａは、ＡＡＬ５のレイヤでカプセル化する際に、図６のレイヤ１サブチャネルフィールド６６に、上記のシグナリングを用いて得たＳＣＣＩを書き込み、ＶＣ１４ａ内のサブコネクションを用いることにより、データをＶＣ１４ａに多重してＡＴＭアクセスノード１２ｂに送信する。
【００６５】
ＡＴＭアクセスノード１２ｂでは、受信時のＶＰＩ及びＶＣＩのみならず、受信したＣＰＣＳ−ＰＤＵのレイヤ１サブチャネルフィールド６６のＳＣＣＩを読み込んだ結果から、ＶＣ１４ｂ内のサブコネクションを用いることにより、データをＶＣ１４ｂに多重してＡＴＭアクセスノード１２ｃに送信する。
【００６６】
ＡＴＭアクセスノード１２ｃでは、受信時のＶＰＩ及びＶＣＩのみならず、受信したＣＰＣＳ−ＰＤＵのレイヤ１サブチャネルフィールド６６のＳＣＣＩを読み込んだ結果から、回線１１ｅを用いて端末１０ｅにデータを送信する。
【００６７】
同様に、図１の端末１０ｂが端末１０ｃにデータを送信する場合についても、ＶＣ１４ａ内のサブコネクションを使用してデータが送信される。以上の処理により、１つのＶＣの中に複数端末からのデータを多重しチャネル内多重交換を行う。このように、この実施の形態は、レイヤ１サブチャネルであるＳＣＣＩにてデータの送信先を識別する、つまりレイヤ１のコネクションを意識してデータを送信するコネクションオリエンテッドサービスを実現するものである。
【００６８】
以上のように、この実施の形態５によれば、シグナリングを用いて得た送信先のレイヤ１サブチャネルであるＳＣＣＩを、ＣＰＣＳ−ＰＤＵ毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００６９】
実施の形態６．
この実施の形態６によるＡＴＭ通信システムにおけるネットワーク構成は、実施の形態１の図１に示すものと同一である。図７は実施の形態６によるＡＴＭセルのデータフォーマットと新たに定義するレイヤ１サブチャネルフィールドを示す図であり、図において、７２はＡＴＭセル情報フィールド４１の先頭４バイトを使用したレイヤ１サブチャネルフィールドで、その他は実施の形態２の図４と同じである。
【００７０】
次に動作について説明する。
図１において、端末１０ａが端末１０ｅにデータを送信する場合に、ＡＴＭアクセスノード１２ａは、シグナリングを行い、ＶＣ１４ａを介してＡＴＭアクセスノード１２ｂまで、またＶＣ１４ｂを介してＡＴＭアクセスノード１２ｃまでのそれぞれのＶＣ１４ａ，１４ｂ内にサブコネクションを設定し、データ転送時のＳＣＣＩ（ショートセルチャネル識別子）を決定する。
【００７１】
そして、端末１０ａは回線１１ａを用いてＡＴＭアクセスノード１２ａにデータを送信し、データを受信したＡＴＭアクセスノード１２ａは、ＡＴＭセル化する際に、図７のレイヤ１サブチャネルフィールド７２に、上記のシグナリングを行うことで得たＳＣＣＩを書き込み、ＶＣ１４ａ内のサブコネクションを用いることにより、データをＶＣ１４ａに多重してＡＴＭアクセスノード１２ｂに送信する。
【００７２】
ＡＴＭアクセスノード１２ｂでは、受信時のＶＰＩ及びＶＣＩのみならず、受信したＣＰＣＳ−ＰＤＵのレイヤ１サブチャネルフィールド７２のＳＣＣＩを読み込んだ結果から、ＶＣ１４ｂ内のサブコネクションを用いることにより、データをＶＣ１４ｂに多重してＡＴＭアクセスノード１２ｃに送信する。
【００７３】
ＡＴＭアクセスノード１２ｃでは、受信時のＶＰＩ及びＶＣＩのみならず、受信したＣＰＣＳ−ＰＤＵのレイヤ１サブチャネルフィールド７２のＳＣＣＩを読み込んだ結果から、回線１１ｅを用いて端末１０ｅにデータを送信する。
【００７４】
同様に、図１の端末１０ｂが端末１０ｃにデータを送信する場合についても、同じＶＣ１４ａに多重してデータが送信される。以上の処理により、１つのＶＣの中に複数端末からのデータを多重しチャネル内多重交換を行う。このように、この実施の形態は、レイヤ１サブチャネルであるＳＣＣＩにてデータの送信先を識別する、つまりレイヤ１のコネクションを意識してデータを送信するコネクションオリエンテッドサービスを実現するものである。
【００７５】
以上のように、この実施の形態６によれば、シグナリングを用いて得た送信先のレイヤ１サブチャネルであるＳＣＣＩをＡＴＭセル毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード２ａ〜１２ｃ間をＶＰにて接続した場合と比較して、ネットワークコストを大幅に削減することができるという効果が得られる。
【００７６】
実施の形態７．
図８はこの発明の実施の形態７によるＡＴＭ通信システムにおけるネットワーク構成を示す図であり、図において、８４ａはＡＴＭアクセスノード１２ａと１２ｂを例えばＰＶＣ方式にて接続するシグナリング用のＶＣ，８４ｂはＡＴＭアクセスノード１２ｂと１２ｃを例えばＰＶＣ方式にて接続するシグナリング用のＶＣ，８４ｃはＡＴＭアクセスノード１２ａと１２ｂを例えばＰＶＣ方式にて接続するユーザデータ用のＶＣ，８４ｄはＡＴＭアクセスノード１２ｂと１２ｃを例えばＰＶＣ方式にて接続するユーザデータ用のＶＣであり、その他は実施の形態１の図１と同一である。
【００７７】
図９は実施の形態７によるＡＡＬ２のデータフォーマットと新たに定義するレイヤ３アドレスフィールドを示す図である。図において、９５はデータ部５４の先頭４バイトを使用したレイヤ１サブチャネルフィールドであり、その他は実施の形態３の図５と同一である。
【００７８】
次に動作について説明する。
図８において、端末１０ａが端末１０ｅにデータを送信する場合に、ＡＴＭアクセスノード１２ａは、シグナリングを用い、ＶＣ８４ａを介してＡＴＭアクセスノード１２ｂ、及びＶＣ８４ｂを介してＡＴＭアクセスノード１２ｃまで、ＶＣ８４ｃ及びＶＣ８４ｄ内にサブコネクションを設定し、データ転送時のＳＣＣＩ（ショートセルチャネル識別子）を決定する。
【００７９】
そして、端末１０ａは、回線１１ａを用いてＡＴＭアクセスノード１２ａにデータを送信し、データを受信したＡＴＭアクセスノード１２ａは、ＡＡＬ２のレイヤでショートセル化を行う際に、図９のレイヤ１サブチャネルフィールド９５に、上記のシグナリングを用いて得たＳＣＣＩを書き込み、ＶＣ８４ｃ内のサブコネクションを用いることにより、データをＶＣ８４ｃに多重してＡＴＭアクセスノード１２ｂに送信する。
【００８０】
ＡＴＭアクセスノード１２ｂでは、受信時のＶＰＩ及びＶＣＩのみならず、受信したショートセルのレイヤ１サブチャネルフィールド９５のＳＣＣＩを読み込んだ結果から、ＶＣ８４ｄ内のサブコネクションを用いることにより、データをＶＣ８４ｄに多重してＡＴＭアクセスノード１２ｃに送信する。
【００８１】
ＡＴＭアクセスノード１２ｃでは、受信時のＶＰＩ及びＶＣＩのみならず、受信したショートセルのレイヤ１サブチャネルフィールド９５のＳＣＣＩを読み込んだ結果から、回線１１ｅを用いて端末１０ｅにデータを送信する。
【００８２】
同様に、図８の端末１０ｂが端末１０ｃにデータを送信する場合についても、同じＶＣ１４ａに多重してデータが送信される。以上の処理により、１つのＶＣの中に複数端末からのデータを多重しチャネル内多重交換を行う。このように、この実施の形態は、レイヤ１サブチャネルであるＳＣＣＩにてデータの送信先を識別する、つまりレイヤ１のコネクションを意識してデータを送信するコネクションオリエンテッドサービスを実現するものである。
【００８３】
以上のように、この実施の形態７によれば、シグナリング用のＶＣとユーザデータ用のＶＣが別々に存在する場合、シグナリングを用いて得た送信先のレイヤ１サブチャネルであるＳＣＣＩをＡＡＬ２のレイヤでショートセル毎に付与することにより、ＶＣ１４ａ，１４ｂに複数端末１０ａ〜１０ｆからのデータを多重しても、送信先を識別してチャネル内多重交換を行うことができるので、ＡＴＭ通信システムを構築する際に、ＶＣ１４ａ，１４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００８４】
実施の形態８．
この実施の形態８によるＡＴＭ通信システムにおけるネットワーク構成は、実施の形態７の図８に示すものと同一である。この実施の形態は、図６に示すＡＡＬ５のＣＰＣＳ−ＰＤＵのデータフォーマットを使用して、シグナリングデータを送信するものである。
【００８５】
次に動作について説明する。
図８において、端末１０ａが端末１０ｅにデータを送信するために、ＡＴＭアクセスノード１２ａは、シグナリングを用いてＶＣ８４ｃとＶＣ８４ｄを設定して、ＡＴＭアクセスノード１２ｃまでのデータ用コネクションを設定する。この場合、ＡＴＭアクセスノード１２ａは、シグナリングデータを送信する際に、ＡＡＬ５のレイヤでカプセル化を行う。
【００８６】
ＡＴＭアクセスノード１２ａでは、このＡＡＬ５でのカプセル化を行う際に、図６のレイヤ１サブチャネルフィールド６６にＳＣＣＩ（ショートセルチャネル識別子）を書き込み、シグナリングデータをＶＣ８４ａに多重してＡＴＭアクセスノード１２ｂに送信する。
【００８７】
シグナリングデータを受信したＡＴＭアクセスノード１２ｂは、ＡＴＭアクセスノード１２ｃとのデータ用コネクションを設定するため、レイヤ１サブチャネルフィールド６６にＳＣＣＩを設定し、シグナリングデータをＶＣ８４ｂに多重してＡＴＭアクセスノード１２ｃに送信する。
【００８８】
また、ＡＴＭアクセスノード１２ｃから１２ｂへのシグナリングデータ送信の際も、シグナリングデータをＡＡＬ５のレイヤでカプセル化し、レイヤ１サブチャネルフィールド６６にＳＣＣＩを書き込み、シグナリングデータをＶＣ８４ｂに多重してＡＴＭアクセスノード１２ｂに送信する。
【００８９】
シグナリングデータを受信したＡＴＭアクセスノード１２ｂは、レイヤ１サブチャネルフィールド６６のＳＣＣＩから、本シグナリングデータがＶＣ８４ｃとＶＣ８４ｄ内にサブコネクションを設定するためのものであることを判断する。ＡＴＭアクセスノード１２ｂは、レイヤ１サブチャネルフィールド６６にＳＣＣＩを設定し、シグナリングデータをＶＣ８４ａに多重してＡＴＭアクセスノード１２ａに送信する。
【００９０】
シグナリングデータを受信したＡＴＭアクセスノード１２ａは、レイヤ１サブチャネルフィールド６６のＳＣＣＩから、本シグナリングデータがＶＣ８４ｃとＶＣ８４ｄ内にサブコネクションを設定するためのものであることを判断して、ＡＴＭアクセスノード１２ｃまでのデータ用コネクションを設定することができる。このように、この実施の形態は、レイヤ１サブチャネルであるＳＣＣＩにてデータの送信先を識別する、つまりレイヤ１のコネクションを意識してデータを送信するコネクションオリエンテッドサービスを実現するものである。
【００９１】
以上のように、この実施の形態８によれば、シグナリング用のＶＣ８４ａ〜８４ｂとユーザデータ用のＶＣ８４ｃ〜８４ｄが別々に存在する場合に、シグナリングデータについて、送付先のレイヤ１サブチャネルであるＳＣＣＩを、ＡＡＬ５のＣＰＣＳ−ＰＤＵ毎に付与することにより、ＶＣ８４ａ，８４ｂに複数端末１０ａ〜１０ｆからのシグナルデータを多重しても、送信先を識別してチャネル内多重交換を行うことができるので、ＡＴＭ通信システムを構築する際に、ＶＣ８４ａ，８４ｂにて接続しネットワークを構築することにより、ＡＴＭアクセスノード１２ａ〜１２ｃ間をＶＰにて接続した場合と比較して、ネットワークコストを大幅に削減することができるという効果が得られる。
【００９２】
実施の形態９．
図１０はこの発明の実施の形態９によるＡＴＭ通信システムにおけるネットワーク構成を示す図であり、図において、１０４ａはＡＴＭアクセスノード１２ａと１２ｂをサービスクラスＣＢＲ（Ｃｏｎｔｉｎｕｏｕｓ  Ｂｉｔ  Ｒａｔｅ）にて接続するＣＢＲ用のＶＣ，１０４ｂはＡＴＭアクセスノード１２ｂと１２ｃをサービスクラスＣＢＲにて接続するＣＢＲ用のＶＣである。
【００９３】
また、図１０において、１０４ｃはＡＴＭアクセスノード１２ａと１２ｂをサービスクラスＵＢＲ（Ｕｎｓｐｅｃｉｆｉｅｄ  Ｂｉｔ  Ｒａｔｅ）にて接続するＵＢＲ用のＶＣ，１０４ｄはＡＴＭアクセスノード１２ｂと１２ｃをサービスクラスＵＢＲにて接続するＵＢＲ用のＶＣであり、その他は実施の形態１の図１と同じである。このように、この実施の形態では、ＱｏＳ（Ｑｕａｌｉｔｙ  ｏｆ  Ｓｅｒｖｉｃｅ）毎のＶＣ１０４ａ〜１０４ｄを設定している。
【００９４】
図１１は、実施の形態９による、各端末１０ａ〜１０ｆに割り当てられたサービスクラスを示す図である。例えば、端末１０ａからのデータはサービスクラスＣＢＲにて送信することを示し、端末１０ｂからのデータはサービスクラスＵＢＲにて送信することを示している。この実施の形態は、実施の形態１の図２に示す対応表と図３に示すＡＡＬ５のＣＰＣＳ−ＰＤＵのフォーマットを使用してデータを送信するものである。
【００９５】
次に動作について説明する。
図１０において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、送信端末のスロット位置から相手ノードＩＤと相手端末ＩＤを判断し、図２に示す対応表より、送信先端末がＡＴＭアクセスノード１２ｃに接続している端末１０ｅであることを知る。
【００９６】
そして、ＡＴＭアクセスノード１２ａは、端末１０ａからの送信データをＡＡＬ−５でカプセル化する際に、図３のレイヤ３アドレスフィールド３６に、端末１０ｅの「ノードＩＤ＋端末ＩＤ」を書き込む。そして図１１により、端末１０ａから送られてきたデータは、サービスクラスＣＢＲにて送信することとしているので、データをＶＣ１０４ａに多重してＡＴＭアクセスノード１２ｂに送信する。
【００９７】
ＡＴＭアクセスノード１２ｂでは、受信したＣＰＣＳ−ＰＤＵのレイヤ３アドレスフィールド３６を読み込み、図２に示す対応表より、送信先端末がＡＴＭアクセスノード１２ｃに接続している端末１０ｅであることを判断する。また、端末１０ａからのデータであり、図１１により、データはサービスクラスＣＢＲで送信することとなり、ＡＴＭアクセスノード１２ｂは、データをＶＣ１０４ｂに多重してＡＴＭアクセスノード１２ｃに送信する。
【００９８】
ＡＴＭアクセスノード１２ｃでは、受信したＣＰＣＳ−ＰＤＵのレイヤ３アドレスフィールド３６を読み込み、送信先端末がＡＴＭアクセスノード１２ｃに接続されている端末１０ｅであることを判断し、回線１１ｅを用いて端末１０ｅにデータを送信する。
【００９９】
同様に、図１０において、端末１０ｂが端末１０ｃにデータを送信する場合、端末１０ｂは回線１１ｂを用いてＡＴＭアクセスノード１２ａにデータを送信する。データを受信したＡＴＭアクセスノード１２ａは、送信端末のスロット位置から端末１０ｃの相手ノードＩＤと相手端末ＩＤを判断し、図２に示す対応表より、送信先端末がＡＴＭアクセスノード１２ｂに接続している端末１０ｃであることを知る。
【０１００】
そして、ＡＴＭアクセスノード１２ａは、端末１０ｂからのデータをＡＡＬ−５でカプセル化する際に、図３のレイヤ３アドレスフィールド３６に端末１０ｃの「ノードＩＤ＋端末ＩＤ」を書き込む。そして図１１により、端末１０ｂから送られてきたデータは、サービスクラスＵＢＲで送信することとなっているので、ＶＣ１０４ｃに多重してＡＴＭアクセスノード１２ｂに送信する。
【０１０１】
ＡＴＭアクセスノード１２ｂでは、受信したＣＰＣＳ−ＰＤＵのレイヤ３アドレスフィールド３６を読み込み、送信先端末がＡＴＭアクセスノード１２ｂに接続されている端末１０ｃであることを判断し、回線１１ｃを用いて端末１０ｃにデータを送信する。
【０１０２】
以上のように、この実施の形態９によれば、ＱｏＳ毎のＶＣ１０４ａ〜１０４ｄを設定し、ＱｏＳに応じたＶＣ１０４ａ〜１０４ｄにデータを多重することにより、ＱｏＳを保証したチャネル内多重交換を行うことができるという効果が得られる。
【０１０３】
実施の形態１０．
この実施の形態１０によるＡＴＭ通信システムにおけるネットワーク構成は、実施の形態９の図１０に示すものと同一である。この実施の形態も、実施の形態１の図２に示す対応表と図３に示すＡＡＬ５のＣＰＣＳ−ＰＤＵのデータフォーマットを使用してデータを送信する。
【０１０４】
図１２は、ＩＰ（Ｉｔｅｒｎｅｔ  Ｐｒｏｔｏｃｏｌ）ヘッダに定義されているＴＯＳ（Ｔｙｐｅ  Ｏｆ  Ｓｅｒｖｉｃｅ）フィールドの各値に割り当てられたサービスクラスを示す図である。例えば、ＴＯＳフィールド値が０×１０のデータならば、サービスクラスＣＢＲのＶＣ１０４ａ，１０４ｂを用いて送信することを示し、ＴＯＳフィールド値が０×０８のデータならば、サービスクラスＵＢＲのＶＣ１０４ｃ，１０４ｄを用いて送信することを示している。
【０１０５】
次に動作について説明する。
図１０において、端末１０ａが端末１０ｅにデータを送信する場合に、端末１０ａは回線１１ａを用いてＡＴＭアクセスノード１２ａにデータを送信する。データを受信したＡＴＭアクセスノード１２ａは、送信端末のスロット位置から相手ノードＩＤと相手端末ＩＤを判断し、図２に示す対応表より、送信先端末がＡＴＭアクセスノード１２ｃに接続している端末１０ｅであることを知る。
【０１０６】
そして、ＡＴＭアクセスノード１２ａは、端末１０ａからのデータをＡＡＬ−５のレイヤでカプセル化する際に、図３のレイヤ３アドレスフィールド３６に端末１０ｅの「ノードＩＤ＋端末ＩＤ」を書き込む。そして、ＩＰヘッダのＴＯＳフィールド値を読み込み、ＴＯＳフィールド値が０×１０の場合、図１２により、データはサービスクラスＣＢＲで送信するので、ＡＴＭアクセスノード１２ａは、データをＶＣ１０４ａに多重してＡＴＭアクセスノード１２ｂに送信する。
【０１０７】
ＡＴＭアクセスノード１２ｂでは、受信したＣＰＣＳ−ＰＤＵのレイヤ３アドレスフィールド３６を読み込み、図２に示す対応表より、送信先端末がＡＴＭアクセスノード１２ｃに接続している端末１０ｅであることを判断する。また、受信したＣＰＣＳ−ＰＤＵのＴＯＳフィールド値を読み込み、図１２により、ＴＯＳフィールド値が０×１０の場合、データはサービスクラスＣＢＲで送信するので、ＡＴＭアクセスノード１２ｂは、データをＶＣ１０４ｂに多重してＡＴＭアクセスノード１２ｃに送信する。
【０１０８】
ＡＴＭアクセスノード１２ｃでは、受信したＣＰＣＳ−ＰＤＵのレイヤ３アドレスフィールド３６を読み込み、送信先端末がＡＴＭアクセスノード１２ｃに接続されている端末１０ｅであることを判断し、回線１１ｅを用いて端末１０ｅにデータを送信する。
【０１０９】
同様に、端末１０ａが端末１０ｅにデータを送信する場合において、ＴＯＳフィールド値が０×０８の場合、図１２により、データはサービスクラスＵＢＲで送信するので、ＡＴＭアクセスノード１２ａは、データをＶＣ１０４ｃに多重してＡＴＭアクセスノード１２ｂに送信する。
【０１１０】
ＡＴＭアクセスノード１２ｂでは、受信したＣＰＣＳ−ＰＤＵのレイヤ３アドレスフィールド３６を読み込み、図２に示す対応表より、送信先端末がＡＴＭアクセスノード１２ｃに接続している端末１０ｅであることを判断する。また、受信したＣＰＣＳ−ＰＤＵのＴＯＳフィールド値を読み込み、図１２により、データはサービスクラスＵＢＲで送信するので、ＡＴＭアクセスノード１２ｂは、データをＶＣ１０４ｄに多重してＡＴＭアクセスノード１２ｃに送信する。
【０１１１】
ＡＴＭアクセスノード１２ｃでは、受信したＣＰＣＳ−ＰＤＵのレイヤ３アドレスフィールド３６を読み込み、送信先端末がＡＴＭアクセスノード１２ｃに接続されている端末１０ｅであることを判断し、回線１１ｅを用いて端末１０ｅにデータを送信する。
【０１１２】
以上のように、この実施の形態１０によれば、ＱｏＳ毎のＶＣ１０４ａ〜１０４ｄを設定し、ＱｏＳの判断をＴＯＳフィールドにより動的に行い、ＱｏＳに応じたＶＣ１０４ａ〜１０４ｄにデータを多重することにより、ＱｏＳを保証したチャネル内多重交換を行うことができるという効果が得られる。
【０１１３】
実施の形態１１．
図１３は、この発明の実施の形態１１によるＡＴＭアクセスノードの構成を示すブロック図である。図のＡＴＭアクセスノード１２ａにおいて、１３５はセルの組立／分解を行うＣＬＡＤ（Ｃｅｌｌ  Ａｓｓｅｍｂｌｙ  ａｎｄ  Ｄｉｓａｓｓｅｍｂｌｙ）で、１３６はＡＴＭセルヘッダ変換機能やトラヒック制御機能を持つＡＴＭスイッチで、１３７はレイヤ３アドレスやＳＣＣＩ（ショートセルチャネル識別子）を付加しＶＣ多重を行うＶＣ多重／分離部である。その他は実施の形態１の図１に示すものと同一である。
【０１１４】
図１４は、ＡＴＭアクセスノード１２ａにおける、端末とＶＰＩ／ＶＣＩ、ＶＰＩ／ＶＣＩ／ＳＣＣＩのマッピングを示す図である。例えば、端末１０ａから送信されたデータは、ＶＰＩ／ＶＣＩとして「１／１」の値がＣＬＡＤ１３５にて付与され、更にＶＣ多重／分離部１３７においては、上記データはＶＰＩ／ＶＣＩ／ＳＣＣＩとして「１０／１０／１」が付与されることを示している。このことから、ＶＣ１４ａのＶＰＩ／ＶＣＩは「１０／１０」となる。
【０１１５】
次に動作について説明する。
図１３において、端末１０ａがデータを送信する場合に、端末１０ａは回線１１ａを用いてＡＴＭアクセスノード１２ａに送信する。データを受信したＡＴＭアクセスノード１２ａでは、ＣＬＡＤ１３５によりデータがセル化される。
【０１１６】
この時、ＡＴＭセルヘッダにおけるＶＰＩ／ＶＣＩは、図１４により「１／１」が用いられる。セル化されたデータは、ＡＴＭスイッチ１３６が一般的に行うＱｏＳを保証しつつ、ＶＣ多重／分離部１３７に送られる。但し、このＶＣ多重／分離部１３７にデータが送られるまでは、当該特許のチャネル内多重交換は意識せず、通常のＡＴＭスイッチ１３６のＶＣスイッチング機能によって、データがＶＣ多重／分離部１３７まで送られる。
【０１１７】
ＶＣ多重／分離部１３７では、図１４示すＶＣ多重／分離部１におけるＶＰＩ／ＶＣＩ／ＳＣＣＩが１０／１０／１であるので、ＡＴＭセルヘッダ部のＶＰＩ／ＶＣＩを「１０／１０」にセットし、さらに、ＳＣＣＩ「１」をレイヤ１サブチャネルフィールドへセットする。そして、データをＶＣ１４ａに多重して送信することにより、チャネル内多重交換を行う。
【０１１８】
以上のように、この実施の形態１１によれば、ＡＴＭアクセスノード１２ａにおいて、既存のＡＴＭスイッチ１３６と公衆ＡＴＭ網１３の間に、ＶＣ多重／分離部１３７を設けてチャネル内多重を行うことにより、既存のＡＴＭスイッチ１３６のＱｏＳ保証機能を利用することができ、容易に、安価に、ＱｏＳ保証を実現することができるという効果が得られる。
【０１１９】
実施の形態１２．
図１５は、この発明の実施の形態１２によるＡＴＭアクセスノードの構成を示すブロック図である。図において、１５３は公衆ＦＲ（Ｆｒａｍｅ  Ｒｅｌａｙ）網、１５４ａは公衆ＦＲ網１５３におけるＤＬＣ（Ｄａｔａ  Ｌｉｎｋ  Ｃｈａｎｎｅｌ）である。なお、ＦＲは高速伝送を実現するために伝送誤り時の再送制御を割愛し、データリンク層レベルでのデータ多重化を実現する多重交換方式である。
【０１２０】
また、図１５のＡＴＭアクセスノード１２ａにおいて、１５７は、ＡＴＭとＦＲの相互接続機能やＤＬＣ１５４ａの多重／分離を行うＤＬＣ多重／分離部であり、１５８はＡＴＭとＦＲのアドレス変換を行うＡＴＭ−ＦＲアドレス変換部である。また、ＣＬＡＤ１３５，ＡＴＭスイッチ１３６は、実施の形態１１の図１３と同一である。ＡＴＭアクセスノード１２ａは、公衆ＦＲ網１５３におけるＤＬＣ１５４ａに接続されている。さらに、端末１０ａ〜１０ｂ，回線１１ａ〜１１ｂは、実施の形態１の図１と同一である。
【０１２１】
図１６は実施の形態１２によるＦＲのデータフォーマットと新たに定義するレイヤ１サブチャネルフィールドを示す図である。図において、１６０は１バイト開始フラグであり、１６１はＤＬＣＩ（Ｄａｔａ  Ｌｉｎｋ  Ｃｈａｎｎｅｌ  Ｉｄｅｎｔｉｆｉｅｒ）等を含む２バイトのアドレスフィールドである。１６２は最大４０９６バイトの情報フィールド、１６３は２バイトのフレームチェックシーケンスフィールド、１６４は１バイトの終了フラグである。また、１６５は、情報フィールド１６２の先頭４バイトを使用したレイヤ１サブチャネルフィールドである。
【０１２２】
次に動作について説明する。
図１５において、端末１０ａが図示されていない端末１０ｅにデータを送信する場合に、端末１０ａは回線１１ａを用いてＡＴＭアクセスノード１２ａにデータを送信する。データを受信したＡＴＭアクセスノード１２ａでは、ＣＬＡＤ１３５によりデータがセル化される。セル化されたデータは、ＡＴＭスイッチ１３６を経由して、ＤＬＣ多重／分離部１５７に送られる。
【０１２３】
ＤＬＣ多重／分離部１５７では、Ｆｒａｍｅ  Ｒｅｌａｙ  ＦｏｒｕｍのＦＲＦ．８に従って、ＡＴＭとＦＲのフォーマット変換を行う。また、この時、ＡＴＭ−ＦＲアドレス変換部１５８では、ＶＰからＤＬＣを決定し、ＶＣからＳＣＣＩを決定することにより、ＡＴＭとＦＲのアドレス変換を行う。ＤＬＣ多重／分離部１５７では、上記のＤＬＣの値を、図１６に示すアドレスフィールド１６１内に記述し、また、上記ＳＣＣＩを、同様にレイヤ１サブチャネルフィールド１６５内に記述して、データを公衆ＦＲ網１５３のＤＬＣ１５４ａに多重して送信することにより、チャネル内多重交換を行う。
【０１２４】
以上のように、この実施の形態１２によれば、ＡＴＭアクセスノード１２ａにおいて、既存のＡＴＭスイッチ１３６と公衆ＦＲ網１５３の間に、ＤＬＣ多重／分離部１５７とＡＴＭ−ＦＲアドレス変換部１５８を設けてチャネル内多重を行うことにより、ＡＴＭスイッチのＶＣスイッチング機構を利用して、容易に、安価に公衆ＦＲ網１５３におけるＤＬＣ多重を行うことができるという効果が得られる。
【０１２５】
【発明の効果】
以上のように、この発明によれば、ＡＴＭアクセスノードが、端末のレイヤ３アドレスと端末が接続しているＡＴＭアクセスノードとの対応表を備え、端末からのデータをＡＡＬ５のレイヤでカプセル化する際に、ＡＡＬ５のＣＰＣＳ−ＰＤＵのデータフォーマットにレイヤ３アドレスを書き込み、データを公衆ＡＴＭ網のＶＣに多重して送信することにより、ＶＣにてネットワークを構築することができ、ネットワークコストを大幅に削減することができるという効果がある。
【０１２６】
この発明によれば、ＡＴＭアクセスノードが、端末のレイヤ３アドレスと端末が接続しているＡＴＭアクセスノードとの対応表を備え、端末からのデータをＡＴＭセル化する際に、ＡＴＭセルのデータフォーマットにレイヤ３アドレスを書き込み、データを公衆ＡＴＭ網のＶＣに多重して送信することにより、ＶＣにてネットワークを構築することができ、ネットワークコストを大幅に削減することができるという効果がある。
【０１２７】
この発明によれば、ＡＴＭアクセスノードが、端末のレイヤ３アドレスと端末が接続しているＡＴＭアクセスノードとの対応表を備え、端末からのデータをＡＡＬ２のレイヤでショートセル化する際に、ＡＡＬ２のデータフォーマットにレイヤ３アドレスを書き込み、データを公衆ＡＴＭ網のＶＣに多重して送信することにより、ＶＣにてネットワークを構築することができ、ネットワークコストを大幅に削減することができるという効果がある。
【０１２８】
この発明によれば、ＡＴＭアクセスノードが、データの送付先の端末を指定するレイヤ１サブチャネルのＳＣＣＩを保有し、端末からのデータをＡＡＬ５のレイヤでカプセル化する際に、ＡＡＬ５のＣＰＣＳ−ＰＤＵのデータフォーマットにＳＣＣＩを書き込み、データを公衆ＡＴＭ網のＶＣに多重して送信することにより、ＶＣにてネットワークを構築することができ、ネットワークコストを大幅に削減することができるという効果がある。
【０１２９】
この発明によれば、ＡＴＭアクセスノードが、データの送付先の端末を指定するレイヤ１サブチャネルのＳＣＣＩをシグナリングにより決定し、端末からのデータをＡＡＬ５のレイヤでカプセル化する際に、ＡＡＬ５のＣＰＣＳ−ＰＤＵのフォーマットにＳＣＣＩを書き込み、データを公衆ＡＴＭ網のＶＣに多重して送信することにより、ＶＣにてネットワークを構築することができ、ネットワークコストを大幅に削減することができるという効果がある。
【０１３０】
この発明によれば、ＡＴＭアクセスノードが、データの送付先の端末を指定するレイヤ１サブチャネルのＳＣＣＩをシグナリングにより決定し、端末からのデータをＡＴＭセル化する際に、ＡＴＭセルのデータフォーマットにＳＣＣＩを書き込み、データを公衆ＡＴＭ網のＶＣに多重して送信することにより、ＶＣにてネットワークを構築することができ、ネットワークコストを大幅に削減することができるという効果がある。
【０１３１】
この発明によれば、シグナリング用のＶＣとユーザデータ用のＶＣを使用した公衆ＡＴＭ網においても、ＡＴＭアクセスノードが、データの送付先の端末を指定するレイヤ１サブチャネルのＳＣＣＩをシグナリングにより決定し、端末からのデータをＡＡＬ２のレイヤでショートセル化する際に、ＡＡＬ２のデータフォーマットにＳＣＣＩを書き込み、データを公衆ＡＴＭ網のユーザデータ用のＶＣに多重して送信することにより、ＶＣにてネットワークを構築することができ、ネットワークコストを大幅に削減することができるという効果がある。
【０１３２】
この発明によれば、シグナリング用のＶＣとユーザデータ用のＶＣを使用した公衆ＡＴＭ網においても、ＡＴＭアクセスノードが、シグナリングデータをＡＡＬ５のレイヤでカプセル化する際に、ＡＡＬ５のデータフォーマットに、データの送付先の端末を指定するレイヤ１サブチャネルのＳＣＣＩを書き込み、シグナリングデータを公衆ＡＴＭ網のシグナリング用のＶＣに多重して送信することで、データ用のコネクションを設定することにより、ＶＣにてネットワークを構築することができ、ネットワークコストを大幅に削減することができるという効果がある。
【０１３３】
この発明によれば、サービスクラスに対応した複数のＶＣを備える公衆ＡＴＭ網においても、ＡＴＭアクセスノードが、端末のレイヤ３アドレスと端末が接続しているＡＴＭアクセスノードとの対応表を備え、端末からのデータをＡＡＬ５のレイヤでカプセル化する際に、ＡＡＬ５のＣＰＣＳ−ＰＤＵのデータフォーマットにレイヤ３アドレスを書き込み、各端末に割り当てられたサービスクラスに対応して、データを公衆ＡＴＭ網のＶＣに多重して送信することにより、ＶＣにてネットワークを構築することができ、ネットワークコストを大幅に削減することができるという効果がある。
【０１３４】
この発明によれば、サービスクラスに対応した複数のＶＣを備える公衆ＡＴＭ網においても、ＡＴＭアクセスノードが、端末のレイヤ３アドレスと端末が接続しているＡＴＭアクセスノードとの対応表を備え、端末からのデータをＡＡＬ５のレイヤでカプセル化する際に、ＡＡＬ５のＣＰＣＳ−ＰＤＵのデータフォーマットにレイヤ３アドレスを書き込み、データのＴＯＳに割り当てられたサービスクラスに対応して、データを公衆ＡＴＭ網のＶＣに多重して送信することにより、ＶＣにてネットワークを構築することができ、ネットワークコストを大幅に削減することができるという効果がある。
【０１３５】
この発明によれば、ＡＴＭアクセスノードが、データのセルの組立／分解を行うＣＬＡＤと、ＡＴＭセルヘッダ変換機能やトラヒック制御機能を有するＡＴＭスイッチと、端末のレイヤ３アドレス、又はデータの送付先の端末を指定するレイヤ１サブチャネルのＳＣＣＩを付加してＶＣ多重を行うＶＣ多重分離部とを備えたことにより、既存のＡＴＭスイッチのＱｏＳ保証機能を利用することができ、容易に、安価に、ＱｏＳ保証を実現することができるという効果がある。
【０１３６】
この発明によれば、公衆ＦＲ網においても、ＡＴＭアクセスノードが、データのセルの組立／分解を行うＣＬＡＤと、ＡＴＭセルヘッダ変換機能やトラヒック制御機能を有するＡＴＭスイッチと、ＡＴＭのＶＰからＦＲのＤＬＣＩを決定し、ＡＴＭのＶＣからＦＲのＳＣＣＩを決定することにより、ＡＴＭとＦＲのアドレス変換を行うＡＴＭ−ＦＲアドレス変換部と、ＦＲのデータフォーマットに、ＡＴＭ−ＦＲアドレス変換部が決定したＤＬＣＩとＳＣＣＩを書き込み、データを公衆ＦＲのＤＬＣに多重して送信するＤＬＣ多重／分離部とを備えたことにより、ＡＴＭスイッチのＶＣスイッチング機構を利用して、容易に、安価に公衆ＦＲ網におけるＤＬＣ多重を行うことができるという効果がある。
【図面の簡単な説明】
【図１】  この発明の実施の形態１によるＡＴＭ通信システムのネットワーク構成を示す図である。
【図２】  この発明の実施の形態１による端末のレイヤ３アドレスとＡＴＭアクセスノードとの対応表を示す図である。
【図３】  この発明の実施の形態１によるＡＡＬ５のＣＰＣＳ−ＰＤＵのデータフォーマットとレイヤ３アドレスフィールドを示す図である。
【図４】  この発明の実施の形態２によるＡＴＭセルのデータフォーマットとレイヤ３アドレスフィールドを示す図である。
【図５】  この発明の実施の形態３によるＡＡＬ２のデータフォーマットとレイヤ３アドレスフィールドを示す図である。
【図６】  この発明の実施の形態４によるＡＡＬ５のＣＰＣＳ−ＰＤＵのデータフォーマットとレイヤ１サブチャネルフィールドを示す図である。
【図７】  この発明の実施の形態６によるＡＴＭセルのデータフォーマットとレイヤ１サブチャネルフィールドを示す図である。
【図８】  この発明の実施の形態７によるＡＴＭ通信システムのネットワーク構成を示す図である。
【図９】  この発明の実施の形態７によるＡＡＬ２のデータフォーマットとレイヤ１サブチャネルフィールドを示す図である。
【図１０】  この発明の実施の形態９によるＡＴＭ通信システムのネットワーク構成を示す図である。
【図１１】  この発明の実施の形態９による各端末に割り当てられたサービスクラスを示す図である。
【図１２】  この発明の実施の形態１０による各ＴＯＳに割り当てられたサービスクラスを示す図である。
【図１３】  この発明の実施の形態１１によるＡＴＭアクセスノードの構成示すブロック図である。
【図１４】  この発明の実施の形態１１による端末とＶＰＩ／ＶＣＩ，ＶＰＩ／ＶＣＩ／ＳＣＣＩのマッピングを示す図である。
【図１５】  この発明の実施の形態１２によるＡＴＭアクセスノードの構成示すブロック図である。
【図１６】  この発明の実施の形態１２によるフレームリレーのデータフォーマットとレイヤ１サブチャネルフィールドを示す図である。
【図１７】  従来のＡＴＭ通信システムのネットワーク構成を示す図である。
【符号の説明】
１０ａ〜１０ｆ  端末、１２ａ〜１２ｃ  ＡＴＭアクセスノード、１３  公衆ＡＴＭ網、１４ａ，１４ｂ  ＶＣ，３０  ユーザデータ部、４１  ＡＴＭセル情報フィールド、５４  データ部、８４ａ，８４ｂ  シグナリング用のＶＣ，８４ｃ，８４ｄ  ユーザデータ用ＶＣ，１３５  ＣＬＡＤ，１３６  ＡＴＭスイッチ、１３７  ＶＣ多重／分離部、１５３  公衆ＦＲ網、１５４  ＤＬＣ，１５７  ＤＬＣ多重／分離部、１５８  ＡＴＭ−ＦＲアドレス変換部、１６１  アドレスフィールド、１６２  情報フィールド。
【図１】
0003670169.tif 000002
【図２】
0003670169.tif 000003
【図３】
0003670169.tif 000004
【図４】
0003670169.tif 000005
【図５】
0003670169.tif 000006
【図６】
0003670169.tif 000007
【図７】
0003670169.tif 000008
【図８】
0003670169.tif 000009
【図９】
0003670169.tif 000010
【図１０】
0003670169.tif 000011
【図１１】
0003670169.tif 000012
【図１２】
0003670169.tif 000013
【図１３】
0003670169.tif 000014
【図１４】
0003670169.tif 000015
【図１５】
0003670169.tif 000016
【図１６】
0003670169.tif 000017
【図１７】
0003670169.tif 000018